(57)【特許請求の範囲】
【請求項１】
服本体に設けられて、ペットの前足が入るように構成された前足孔と、
２つの保持部であって、各々はペット用おむつを着脱自在に保持するように構成されている、２つの保持部と、を備え、
ペットへ前記服本体を装着したとき、前記２つの保持部のうちの一方の保持部の前記服本体側の繋ぎ部が、前記ペットの両側部のうちの一方側に位置し、前記２つの保持部のうちの他方の保持部の前記服本体側の繋ぎ部が、前記ペットの前記両側部のうちの他方側に位置し、かつ、
前記ペット用おむつを保持した状態で、前記２つの保持部の各々の先端が下方に傾くように、前記２つの保持部の各々は前記服本体に一直線状に設けられている、
おむつ保持用服。
【請求項２】
前記服本体をペットの胴体部に着脱自在にする服係合部を更に備える、
請求項１に記載のおむつ保持用服。
【請求項３】
おむつ保持用服と、該おむつ保持用服によりペットに保持されるペット用おむつとを有するペット用おむつセットであって、
前記おむつ保持用服は、
服本体に設けられて、ペットの前足が入るように構成された前足孔と、
２つの保持部であって、各々は前記ペット用おむつを着脱自在に保持するように構成されている、２つの保持部と、を備え、
ペットへ前記服本体を装着したとき、前記２つの保持部のうちの一方の保持部の前記服本体側の繋ぎ部が、前記ペットの両側部のうちの一方側に位置し、前記２つの保持部のうちの他方の保持部の前記服本体側の繋ぎ部が、前記ペットの前記両側部のうちの他方側に位置し、かつ、
前記ペット用おむつを保持した状態で、前記２つの保持部の各々の先端が下方に傾くように、前記２つの保持部の各々は前記服本体に一直線状に設けられていて、
前記おむつは、
おむつ本体と、糞収容袋とを備え、
前記おむつ本体は、前記ペットへの装着時に該ペットの肛門に臨むように設けられる開口部であって、前記ペットの尻尾が出るように構成された開口部を備え、
前記糞収容袋は、前記開口部を覆うように前記おむつ本体に取り付けられている、
ペット用おむつセット。
【発明の詳細な説明】
【技術分野】
【０００１】
本発明は、犬などのペット用のおむつを保持するように構成されたおむつ保持用服、及び、それらを含むペット用おむつセットに関する。
【背景技術】
【０００２】
従来、ペット用のおむつが販売されていて、種々の改良が提案されている。例えば、特許文献１は、ペットのペット用おむつにおいて、ペットの肛門に臨む位置に開口部を設け、この開口部に糞収納袋を取り付けることを開示する。この糞収納袋は、前述の開口部から出たペットの尻尾を通す尻尾穴を有する。
【先行技術文献】
【特許文献】
【０００３】
【特許文献１】特開２０１９−２２４６６号公報
【発明の概要】
【発明が解決しようとする課題】
【０００４】
特許文献１の上記おむつなどの、ペット用おむつは、ペットの糞尿を受けるための種々の構成を有する。しかし、元来、多くのペットはおむつを装着することに慣れておらず、おむつを取り除くような動きをし得る。このような場合にも、よりしっかりとおむつを装着状態に維持することが望まれる。
【０００５】
本発明は、上記課題に鑑みて創案されたものであり、その目的は、ペット用おむつの脱げをより好適に防ぐことを可能にすることにある。
【課題を解決するための手段】
【０００６】
上記目的を達成するために、本発明の一態様は、
服本体に設けられて、ペットの前足が入るように構成された前足孔と、
ペット用おむつを着脱自在に保持するように構成された保持部と
を備えた、おむつ保持用服
を提供する。
【０００７】
前記おむつ保持用服は、前記服本体をペットの胴体部に着脱自在にする服係合部を更に備えるとよい。
【０００８】
本発明の別の態様は、
前述のおむつ保持用服によりペットに保持されるペット用おむつであって、
おむつ本体と、糞収容袋とを備え、
前記おむつ本体は、ペットへの装着時に該ペットの肛門に臨むように設けられる開口部であって、前記ペットの尻尾が出るように構成された開口部を備え、
前記糞収容袋は、前記開口部を覆うように前記おむつ本体に取り付けられている、
ペット用おむつ
を提供する。
【０００９】
前記糞収容部は、前記開口部を出た尻尾を通す孔を更に有することができる。
【００１０】
本発明の更に別の態様は、
おむつ保持用服と、該おむつ保持用服によりペットに保持されるペット用おむつとを有するペット用おむつセットであって、
前記おむつ保持用服は、
服本体に設けられて、ペットの前足が入るように構成された前足孔と、
前記ペット用おむつを着脱自在に保持するように構成された保持部と
を備え、
前記おむつは、
おむつ本体と、糞収容袋とを備え、
前記おむつ本体は、前記ペットへの装着時に該ペットの肛門に臨むように設けられる開口部であって、前記ペットの尻尾が出るように構成された開口部を備え、
前記糞収容袋は、前記開口部を覆うように前記おむつ本体に取り付けられている、
ペット用おむつセット
を提供する。
【発明の効果】
【００１１】
本発明の上記態様によれば、上記構成を備えるおむつ保持用服が提供され、ペット用おむつが脱げるのをより好適に防ぐことが可能になる。
【図面の簡単な説明】
【００１２】
【図１】本発明の一実施形態に係るペット用おむつセットを、ペットである犬に適用したところを示す図である。
【図２】図１のペット用おむつセットにおけるペット用おむつの開口部周囲の図である。
【図３】図１のペット用おむつセットにおけるおむつ保持用服を表した図である。
【図４】図１のペット用おむつセットにおけるおむつ保持用服の保持部のサスペンダークリップ及びその周囲の模式図である。
【図５】図１のペット用おむつセットの使用状態を説明するための図である。
【図６】図１のペット用おむつセットにおけるペット用おむつの変形例を表した図である。
【発明を実施するための形態】
【００１３】
以下、本発明に係る実施形態を添付図に基づいて説明する。同一の部品（又は構成）には同一の符号を付してあり、それらの名称及び機能も同じである。したがって、それらについての詳細な説明は繰返さない。
【００１４】
図１は、本発明の一実施形態に係るペット用おむつセット（以下、「セット」と称する。）１０をペットに適用したところを示す図である。なお、以下では、ペットとしての犬Ｄへの適用例を説明するが、本発明に係る製品が適用されるペットは犬に限らず、猫などであってもよい。セット１０は、ペット用おむつ（以下、「おむつ」と称する。）１２と、おむつ保持用服１４とを有する。
【００１５】
おむつ１２は、ここではパンツ型であり、おむつ本体１６に犬Ｄの後足Ｄｒを入れる後足孔１８を有する。後足孔１８は２つ設けられている。おむつ１２は、その寸法を犬Ｄのサイズに合わせるために可変寸法部２０を有し、面ファスナー（例えば、マジックテープ（登録商標））２２の取付位置を調整することが可能に構成されている。おむつ１２は、そのおむつ本体１６に、図１の装着状態において、犬Ｄの肛門に臨む開口部２４を有する。
【００１６】
開口部２４周囲のおむつ１２の一部を図２に示す。なお、図２は、図１の装着状態のおむつ１２の開口部２４をその後方側から見た模式図である。図２に概略的に示すように、装着状態において、おむつ１２の開口部２４には、犬Ｄの肛門Ｄｇが臨むとともに、そこから犬Ｄの尻尾Ｄｔが出る。このように開口部２４は、ペットへの装着時に、犬Ｄの尻尾Ｄｔから肛門Ｄｇまでを十分にカバーするように設計されている。
【００１７】
開口部２４を有するおむつ本体１６には、糞収容袋２６が取り付けられている。糞収容袋２６は、開口部２４を覆うように、特に覆い隠すように設けられる。図２に示すように、糞収容袋２６のおむつ本体１６への取付部２６ａは、開口部２４よりも大きい。なお、ここでは、おむつ本体へ１６への糞収容袋２６の取り付けは接着剤等で行われるが、他の取付手段によりなされてもよく、また着脱自在になされてもよい。
【００１８】
なお、糞収容袋２６内に開口部２４を介して延びる尻尾Ｄｔは、糞収容袋２６の尻尾孔２８を通して糞収容袋２６外に出される。しかし、尻尾Ｄｔは糞収容袋２６内においてそのままにしておくことも可能である。
【００１９】
おむつ保持用服１４は、服本体３０を有し、服本体３０に設けられた、犬Ｄの前足Ｄｆが入るように構成された前足孔３２を有する。前足孔３２は２つ設けられている。おむつ保持用服１４を展開した状態を図３に示す。
【００２０】
おむつ保持用服１４の服本体３０は、一枚の布体として構成されている。おむつ保持用服１４は、服本体３０の前足孔３２に前足Ｄｆが通された状態で犬Ｄの胴体部Ｄｂに巻いてファスナー３４を閉じることで、犬Ｄの胴体部Ｄｂに着脱自在に固定することができる。ファスナー３４は、服係合部に相当する。
【００２１】
更に、おむつ保持用服１４は、おむつ１２を着脱自在に保持するように構成された保持部３６を有する。保持部３６は、その先端にサスペンダークリップ３６ａを有する。サスペンダークリップ３６ａは、服本体３０に２つ設けられているが、１つ又は複数設けられるとよく、３つ以上であってもよい。おむつ保持用服１４を犬Ｄの胴体部Ｄｂに装着した状態で、サスペンダークリップ３６ａはその後方に延出するように服本体３０に設けられている。このサスペンダークリップ３６ａでおむつ１２を保持することができ、よっておむつ１２が脱げることをよりしっかりと防ぐことが可能になる。また、サスペンダークリップ３６ａがつなげられている繋ぎ部３６ｂはゴム製であり伸縮自在である。したがって、おむつ１２が脱げることを、より好適に防ぐことが可能になる。なお、おむつ１２が脱げることを更に防ぐために、サスペンダークリップ３６ａを有する保持部３６は、図１のおむつ保持用服１４の装着状態でその先端がやや下方に向くように服本体３０に位置づけられている。このサスペンダークリップ３６ａの傾きは図３においても表されている。
【００２２】
図４に、保持部３６のうち、サスペンダークリップ３６ａ及びその周囲の模式図を示す。図４では、サスペンダークリップ３６ａは非係合状態にあり、そのクリップ部分３６ｃは開いている。クリップ部分３６ｃは、ここでは、その内側の保持部分にゴム製の突起部３６ｄを有する。したがって、サスペンダークリップ３６ａは、クリップ部分３６ｃの突起部３６ｄでおむつ１２をしっかりと掴むことができる。なお、突起部３６ｄはゴム製であることに限定されず、シリコン樹脂製であってもよく、他の材料製であってもよい。また、クリップ部分３６ｃに設けられる滑り止め手段は、突起部３６ｄであることに限定されず、種々の既知の他の構成を備えることができ、例えば波型ゴムパットであり得る。
【００２３】
また、保持部３６は、ゴム製の繋ぎ部３６ｂに加えて又はそれに代えて、長さ調節機能を有して構成されてもよい。これにより、ペットの大きさにより柔軟に対応することが可能になる。例えば、繋ぎ部３６ｂの箇所にマジックテープ（登録商標）やボタンなどで延長部材を着脱自在にしてもよい。また、繋ぎ部３６ｂはサスペンダークリップ３６ａに直接的につなげられることに限定されず、長さ調節可能な延長部を介して間接的につなげられてもよい。なお、本発明は、繋ぎ部３６ｂが伸び縮み可能でないように構成されることを排除するものではない。
【００２４】
上記構成を有する、おむつ１２とおむつ保持用服１４とを有するセット１０によれば、以下の作用及び効果が奏される。
【００２５】
おむつ１２は、図１に示すように、前足孔３２に前足Ｄｆを通されたおむつ保持用服１４のサスペンダークリップ３６で保持される。したがって、犬Ｄが動いても、おむつ１２が脱げることをよりしっかりと防ぐことが可能になる。
【００２６】
図１に相当する図５において犬Ｄの肛門Ｄｇを模式的に示すように、おむつ１２の装着時、おむつ１２の開口部２４は犬Ｄの肛門に臨むととともに、尻尾Ｄｔを通すように構成されている。更に、その開口部２４を覆うように糞収容袋２６はおむつ本体１６に設けられている。したがって、尻尾Ｄｔと肛門Ｄｇとは近接するが、尻尾Ｄｔを外すように糞収容袋２６をおむつ本体に設ける場合に比べて、糞収容袋２６の肛門Ｄｇに対する位置ずれをよりしっかりと防ぐことが可能になる。したがって、糞収容袋２６内に糞Ｓをより確実に取り入れることが可能になる。
【００２７】
特に、糞収容部２６は開口部２４を出た尻尾Ｄｔを通す孔２８を有する。したがって、例えば犬Ｄの尻尾Ｄｔが長い場合に、糞収容部２６内で尻尾Ｄｔが暴れるのをしっかりと防ぐことができ、よって、肛門Ｄｇに対する糞収容部２６のずれをよりしっかりと防ぐことが可能になる。
【００２８】
なお、おむつ１２は、図５に模式的に示す尿道口Ｄｕをも覆うように犬Ｄに装着される。したがって、おむつ１２は、犬Ｄの排せつ物を好適に受け止めることができる。そして、そのおむつ１２はおむつ保持用服１４でしっかりと保持されるので、それらが漏れるのをより好適に防ぐことが可能になる。
【００２９】
以上、本発明の一実施形態を説明したが、種々の変更が可能である。例えば、おむつ１２はパンツ型である必要はなく、図６に示すように一枚の展開状態になる形式のおむつ１２ａであってもよい。この場合も、ペットへの装着時に肛門に臨むように開口部２４はおむつ本体１６ａに位置づけられ、かつ、糞収容袋２６のおむつ本体１６ａへの取付部２６ａは開口部２４よりも大きい。
【００３０】
なお、糞収容袋２６は、においの漏れない又は漏れにくい材料製の袋であるとなおよい。例えば、クリロン化成株式会社製の防臭袋「ＢＯＳ」を糞収容袋２６として用いることも可能である。
【００３１】
以上、本発明の一実施形態及び変形例について説明したが、本発明はそれらに限定されない。本願の特許請求の範囲によって定義される本発明の精神及び範囲から逸脱しない限り、種々の置換、変更が可能である。
【００３２】
本発明に係るペット用おむつセット、ペット用おむつ、及び、おむつ保持用服は、ペットの介護用品とすることができるが、平時に例えば糞尿禁止場所でペットに対して用いることも可能である。また、本発明に係る製品を、ペット用おむつセットとして、又は、おむつ保持用服のみの商品として販売することも可能であり、また、ペット用おむつを交換品又は使い捨て品として販売することができる。
【符号の説明】
【００３３】
１０  ペット用おむつセット
１２  ペット用おむつ
１４  おむつ保持用服
１６  おむつ本体
１８  後足孔
２０  可変寸法部
２２  面ファスナー
２４  開口部
２６  糞収容袋
２６ａ  取付部
２８  尻尾孔
３０  服本体
３２  前足孔
３４  ファスナー
３６  サスペンダークリップ
３６ａ  繋ぎ部
【要約】
【課題】ペット用おむつが脱げるのをより好適に防ぐことを可能にする。
【解決手段】本発明の一実施形態に係るおむつ保持用服１４は、服本体３０に設けられて、ペットの前足が入るように構成された前足孔３２と、ペット用おむつ１２を着脱自在に保持するように構成された保持部としてのサスペンダークリップ３６とを備える。おむつ１２は、おむつ本体１６と、糞収容袋２６とを備え、前記おむつ本体は、前記ペットへの装着時に該ペットの肛門に臨むように設けられる開口部２４であって、前記ペットの尻尾が出るように構成された開口部を備え、前記糞収容袋は、前記開口部を覆うように前記おむつ本体に取り付けられているとよい。
【選択図】図１【図１】
0006692482.tif 000002
【図２】
0006692482.tif 000003
【図３】
0006692482.tif 000004
【図４】
0006692482.tif 000005
【図５】
0006692482.tif 000006
【図６】
0006692482.tif 000007